(57)【要約】      （修正有）【課題】複数のユーザが画像表示部の複数方向から立体映像及び２Ｄ映像の視認が可能となる立体映像表示システムを提供する。【解決手段】表示部に対する視認位置検出手段を有し、視認位置に応じて、第１の位置では第１のタイミングで第１の映像情報が視認され、第２のタイミングで第２の映像情報が視認されるように制御し、第１の位置と正対する第２の位置では第１のタイミングで第２の映像情報が視認され、第２のタイミングで第１の映像情報が視認されるように制御し、第３の位置では一方のタイミングで第１及び第２の映像情報の何れか一方のみが視認され、他方のタイミングでは第１及び第２の映像情報の何れも視認されないように制御する、シャッター制御手段を有する。【選択図】図１
2016019257.tif 000002
【特許請求の範囲】
【請求項１】
表示部と、前記表示部の表示面と平行な平面内において第1の方向から立体視される第1の視差を有した第1の映像情報と、第2の視差を有した第2の映像情報を時分割で表示する表示制御手段と、シャッター方式の眼鏡と、を有した立体映像表示システムにおいて、前記表示部に対する視認位置を検出する視認位置検出手段を有し、該検出された視認位置に応じて、第１の位置では第１のタイミングで第１の映像情報が視認され、第２のタイミングで第２の映像情報が視認されるように制御し、第１の位置と正対する第２の位置では第１のタイミングで第２の映像情報が視認され、第２のタイミングで第１の映像情報が視認されるように制御し、第３の位置では一方のタイミングで第１及び、第２の映像情報の何れか一方のみが視認され、他方のタイミングでは第１及び、第２の映像情報の何れも視認されないように制御するシャッター制御手段を有することを特徴とする立体映像表示システム。
【請求項２】
前記表示部に表示される映像が、前記表示部の表示面内で９０°回転された場合には、前記シャッター制御手段は、前記第１、第２の位置では、一方のタイミングで第１及び、第２の映像情報の何れか一方のみが視認され、他方のタイミングでは第１及び、第２の映像情報の何れも視認されないように制御し、第３の位置では、第１のタイミングで第１の映像情報が視認され、第２のタイミングで第２の映像情報が視認されるように制御することを特徴とする請求項１に記載の立体映像表示システム。
【請求項３】
前記眼鏡には眼鏡の姿勢を検出する眼鏡姿勢検出手段を有しており、前記視認位置検出手段によって、第２の位置が検出され、かつ、前記眼鏡姿勢検出手段によって姿勢が反転していることが検知される場合には、前記シャッター制御手段は、第１のタイミングで第１の映像情報が視認され、第２のタイミングで第２の映像情報が視認されるように制御することを特徴とする請求項１又は請求項２に記載の立体映像表示システム。
【請求項４】
前記視認位置検出手段は、前記表示面に垂直な軸周りの所定角度までは第１の位置と判定することを特徴とする請求項１乃至請求項３の何れか一項に記載の立体映像表示システム。
【請求項５】
前記表示部は、装置本体に対して姿勢を変更可能に構成されており、前記表示部の前記装置本体に対する姿勢の変化を検知する姿勢変化検知手段を有しており、前記姿勢変化検知手段の検知結果に応じて、前記視認位置検出手段を駆動することを特徴とする請求項１乃至請求項４の何れか一項に記載の立体映像表示システム。
【発明の詳細な説明】
【技術分野】
【０００１】
本発明は、立体映像の表示手段を有した立体映像表示システムに関するものである。特に例えばカムコーダといった撮影映像を立体映像として表示する表示システムに関するものである。
【背景技術】
【０００２】
近年の立体映像の視認環境の普及に伴い、好適な立体映像の撮像装置が要求されている。人間は、右眼において視認される像と、左眼において視認される像とを脳が合成することによって、視認される物体を立体像として認識している。つまり、右眼と左眼とが異なる角度からその物体を視認することによる、右眼において視認される像と、左眼において視認される像との相違によって実現されている。
【０００３】
このため、立体映像を視認するためには、記録された左右の視差に応じた映像情報を、左右の眼に対して各々独立して伝達する必要がある。
【０００４】
そして、右眼用の視差を有した右眼用映像、左眼用の視差を有した左眼用映像から立体映像を視認する手段として、表示映像と同期したシャッターによって左右を分離する液晶シャッター方式が一般的に提案されている。
【０００５】
また、立体映像を複数方向から視認する手段として、特許文献１に示す技術が提案されている。該従来技術は、水平に配置した画像表示面に対するユーザの位置に応じて、画像表示面に表示する左右の視差に応じた映像情報を表示することで、複数方向からの立体映像の視認を実現するものである。このため、該従来技術では、画像表示面に対するユーザの視認位置に応じた右眼用映像、左眼用映像が各々必要となる。
【先行技術文献】
【特許文献】
【０００６】
【特許文献１】特開平１１−３４１５１８号公報
【発明の概要】
【発明が解決しようとする課題】
【０００７】
しかしながら、上記従来例では、カムコーダやデジタルカメラ、携帯電話といった任意の方向から被写体を撮影する撮像装置では、実現が困難である。これは、カムコーダといった撮像装置では、画像表示面に対するユーザの視認位置に応じた右眼用映像、左眼用映像を得ることができないためである。
【０００８】
一方、撮像装置には一般的に画像表示部が配されており、画像表示部にて撮影した映像を再生することが可能である。上記再生時には撮影者や、被写体となった人物、といった複数のユーザが画像表示部の再生映像を視認できることが望ましい。また、カムコーダやデジタルカメラ、携帯電話といった携帯用の撮像装置では、装置の小型化も望まれる。このため、画像表示部は小型に構成されている。よって、複数のユーザが画像表示部の映像を視認する場合には、画像表示部の複数方向から視認可能であることが望ましい。
【０００９】
よって、本発明の目的はかかる問題点を解決する立体映像表示システムを提案することである。
【課題を解決するための手段】
【００１０】
本発明の立体映像表示システムは、表示部と、前記表示部の表示面と平行な平面内において第1の方向から立体視される第1の視差を有した第1の映像情報と、第2の視差を有した第2の映像情報を時分割で表示する表示制御手段と、シャッター方式の眼鏡と、を有した立体映像表示システムにおいて、前記表示部に対する視認位置を検出する視認位置検出手段を有し、該検出された視認位置に応じて、第１の位置では第１のタイミングで第１の映像情報が視認され、第２のタイミングで第２の映像情報が視認されるように制御し、第１の位置と正対する第２の位置では第１のタイミングで第２の映像情報が視認され、第２のタイミングで第１の映像情報が視認されるように制御し、第３の位置では一方のタイミングで第１及び、第２の映像情報の何れか一方のみが視認され、他方のタイミングでは第１及び、第２の映像情報の何れも視認されないように制御するシャッター制御手段を有することを特徴とする。
【００１１】
また、前記表示部に表示される映像が、前記表示部の表示面内で９０°回転された場合には、前記シャッター制御手段は、前記第１、第２の位置では、一方のタイミングで第１及び、第２の映像情報の何れか一方のみが視認され、他方のタイミングでは第１及び、第２の映像情報の何れも視認されないように制御し、第３の位置では、第１のタイミングで第１の映像情報が視認され、第２のタイミングで第２の映像情報が視認されるように制御することを特徴とする。
【００１２】
また、前記眼鏡には眼鏡の姿勢を検出する眼鏡姿勢検出手段を有しており、前記視認位置検出手段によって、第２の位置が検出され、かつ、前記眼鏡姿勢検出手段によって姿勢が反転していることが検知される場合には、前記シャッター制御手段は、第１のタイミングで第１の映像情報が視認され、第２のタイミングで第２の映像情報が視認されるように制御することを特徴とする。
【００１３】
前記視認位置検出手段は、前記表示面に垂直な軸周りの所定角度までは第１の位置と判定することを特徴とする。
【００１４】
また、前記表示部は、装置本体に対して姿勢を変更可能に構成されており、前記表示部の前記装置本体に対する姿勢の変化を検知する姿勢変化検知手段を有しており、前記姿勢変化検知手段の検知結果に応じて、前記視認位置検出手段を駆動することを特徴とする。
【発明の効果】
【００１５】
以上説明したように、本発明によれば、カムコーダやデジタルカメラ、携帯電話といった撮像装置において、複数のユーザが画像表示部の複数方向から立体映像及び２Ｄ映像の視認が可能となる立体映像表示システムの提供が実現する。
【図面の簡単な説明】
【００１６】
【図１】本発明の第１の実施例における立体映像表示システムの本発明にかかる部分のみを抜粋したブロック図
【図２】本発明の第１の実施例におけるカムコーダの上面側からみた外観を示す斜視図
【図３】本発明の第１の実施例におけるカムコーダの表示部が上方を向いた状態を示す斜視図
【図４】本発明の第１の実施例における立体映像を視認するための立体視認用メガネを示す図
【図５】本発明の第１の実施例における視認位置検出用の信号波形を示す図
【図６】本発明の第１の実施例における表示パネルと各信号発信部を模式的に示す図
【図７】本発明の第１の実施例における眼鏡の動作フローを示す図
【図８】本発明の第１の実施例における右眼用映像情報と左眼用映像情報の表示タイミングを示す図
【図９】本発明の第２の実施例における立体映像表示システムの本発明にかかる部分のみを抜粋したブロック図
【図１０】本発明の第２の実施例におけるカムコーダの動作フローを示す図
【図１１】本発明の第２の実施例における眼鏡の動作フローを示す図
【図１２】本発明の第３の実施例におけるカムコーダの表示部が上方を向いた状態を示す斜視図
【図１３】本発明の第３の実施例における立体映像を視認するための立体視認用メガネを示す図
【図１４】本発明の第３の実施例における立体映像表示システムの本発明にかかる部分のみを抜粋したブロック図
【図１５】本発明の第３の実施例における眼鏡の動作フローを示す図
【発明を実施するための形態】
【００１７】
＜第１の実施形態＞
以下に、本発明の立体映像表示システムの第１の実施例を示す。本実施例においては、立体映像表示システムは装置本体であるカムコーダと立体映像視認用の眼鏡によって構成されている。
【００１８】
図１は本実施例の立体映像表示システムの本発明にかかる部分のみを抜粋したブロック図、図２は装置本体であるカムコーダを上面側からみた外観を示す斜視図であり、（ａ）はレンズの光軸先端側からみた図、（ｂ）は背面側からみた図である。図３は表示部３３が上面側を向いた状態を示す斜視図である。
【００１９】
３１はカムコーダの本体、３２は立体映像を撮影するためのレンズ部であり、３２Ｒが撮影した映像を通常状態で表示する際の右眼用映像を撮影する第１のレンズ、３２Ｌが左眼用映像を撮影する第２のレンズである。３３は記録中の映像を表示する表示パネル４３が配された表示部、３４はカムコーダの電源、３５は記録を開始するためのトリガーボタンである。３６は、レンズ部３２の光軸先端側からみて本体３１の左側面を覆う外装部品であるＬカバー、３７は右側面を覆うＲカバー、３８は撮影モード/再生モードを切換えるモードダイヤル、である。
【００２０】
表示部３３は位置変更部３９によって、図２（ｂ）の矢印Ａ方向に開閉可能に構成されており、閉状態（図示せず）においては、表示パネル４３がＲカバー３７に対向するように構成されている。さらに、表示部３３は位置変更部３９によって、矢印Ｂ方向にも回動可能に構成されている。図２に示す通常の撮影状態では、映像情報は、図２（ｂ）の矢印Ｃ側が上側に、矢印Ｄ側が下側となるように表示される。なお、位置変更部３９の構造は公知の技術であるため、詳細な説明は省略する。
【００２１】
以下に、本実施例のカムコーダの基本的な動作について詳述する。電源３４を押すことで本体３１に電源が投入され、モードダイヤル３８によって撮影モードが選択されると、レンズ部３２を介して右眼用、左眼用の映像情報が後述する撮像素子５２に入力される。表示パネル４３には、レンズ部３２を介して入力された映像情報が後述する図８に示すタイミングで表示される。その後、ユーザがトリガーボタン３５を押すと、映像情報が図示しない半導体メモリやハードディスクドライブ、ＤＶＤといった記録媒体に記録される。
【００２２】
また、モードダイヤル３８によって再生モードが選択されると、記録部に記録されていた映像情報が、表示パネル４３に後述する図８に示すタイミングで表示される。
【００２３】
以下に本体３１のシステムの構成を示す。５２は、レンズ部３２の第１のレンズ３２Ｒと第２のレンズ３２Ｌの各々にて撮影された光学像を、映像情報に変換する撮像素子である。レンズ部３２の第１のレンズ３２Ｒによって撮影された映像情報を第１の映像情報６１（図示せず）、第２のレンズ３２Ｌによって撮影された映像情報を第２の映像情報６２（図示せず）とする。
【００２４】
５０は，レンズ部３２から得られた第１、第２の映像情報の処理や、記録媒体（図示せず）への記録、各種スイッチによる動作、などの統括処理を行うＣＰＵである。ＣＰＵ５０は、後述する液晶シャッター方式の立体視認用の眼鏡９０にて立体視するために、第1の映像情報６１と、第2の映像情報６２を時分割で交互に表示部３３に表示する表示映像の制御を実行する。また、後述する２Ｄ映像用の映像表示の際には、第１の映像情報のみを表示する表示映像の制御を実行する。
【００２５】
７６と７７と７８は、後述する眼鏡９０が表示部３３に対する位置を検出するための、位置検出用信号を各々発信する第１の信号発信部と、第２の信号発信部、第３の信号発信部である。本実施例においては、図３からも明らかなように、第１、第２の信号発信部７６、７７は、表示パネル４３の長辺側に対応した、表示部３３の対向する端面に各々配置される。第３の信号発信部７８は、表示パネル４３の短辺側であって、図３に示す状態で本体３１の反対側である表示部３３の端面に配置される。これにより、図３に示す状態では、光軸方向後方側に第１の信号発信部７６が、光軸方向先端側に第２の信号発信部７７が、光軸と垂直方向に第３の信号発信部７８が各々信号を発信するように配置される。
【００２６】
図４は、本実施例における立体映像を視認するための、液晶シャッターを有した立体視認用の眼鏡９０を示すものである。９１は眼鏡の本体となるフレーム部、９２Ｒは表示部３３の表示パネル４３に表示された第１の映像情報６１、または、第２の映像情報６２を透過させることで、眼鏡９０を装着したユーザの右眼に伝達させる右眼用透過部、９２Ｌは、表示パネル４３に表示された第１の映像情報６１、または、第２の映像情報６２を透過させることで、眼鏡９０を装着したユーザの左眼に伝達させる左眼用透過部である。右眼用透過部９２Ｒと左眼用透過部９２Ｌは、透過状態と非透過状態を交互に変化させる液晶シャッターである。
【００２７】
９５は信号受信部であり、第１の信号発信部７６と、第２の信号発信部７７と、第３の信号発信部７８と、から発信された信号を受信する。また、図１に示す７４は眼鏡の姿勢を検出する眼鏡姿勢検出部である。７５は、信号受信部９５からの入力に基づき表示部３３に対する眼鏡９０の位置を検出する視認位置検出や、液晶シャッターの透過、非透過状態のタイミングを制御するシャッター制御といった各種制御手段の統括処理や、後述する同期信号の生成などを行う眼鏡用ＣＰＵである。
【００２８】
以下に本実施例における表示部３３に対する視認位置検出方法を詳述する。本実施例においては、第１の信号発信部７６は指向性を有した赤外線発光素子であり、図３の矢印Ｇに示す方向に、図５（ａ）に示す周期２Ｔのパルス波形の発光パターンに基づいて点滅する。つまり図中のＨｉでは発光し、Ｌｏｗでは消灯する。また、該パルス波形は、表示パネル４３に表示された映像が第１の映像情報６１の場合にＨｉに、第２の映像情報６２の場合にＬｏｗとなるように同期をとって点滅する。
【００２９】
第２の信号発信部７７は指向性を有した赤外線発光素子であり、図３の矢印Ｈに示す方向に、図５（ｂ）に示すように第１の信号発信部７６の発光パターンと逆位相のパルス波形に基づいて点滅する。
【００３０】
第３の信号発信部７８は指向性を有した赤外線発光素子であり、図３の矢印Ｆに示す方向に、図５（ｃ）に示すように第１の信号発信部７６の発光パターンの半分の周期Ｔのパルス波形に基づいて点滅する。
【００３１】
次に、本実施例における第１、第２、第３の信号発信部が信号を発信する領域について図６を用いて詳述する。図６は表示パネル４３と、各信号発信部を模式的に示したものであり、図中に示した角度の範囲内に各々信号が発信される。つまり、例えば第１の信号発信部７６から発信された信号は、図中に示したように、表示パネル４３に垂直な軸を中心とした６０°の範囲内で矢印Ｇ方向に発信される。また、表示パネル４３に垂直な軸方向に対しては、第１、第２、第３ともに表示パネル４３の表示面を原点、表示パネル４３の表側を＋側、裏側を−側として、０°〜＋６０°の範囲に発信されるものとする。
【００３２】
また、本実施例では、図３に示す状態において、表示部３３には、光軸方向後方側から視認した場合に正位置となるように映像が表示される。
【００３３】
本実施例では、眼鏡９０の眼鏡用ＣＰＵ７５は、信号受信部９５から得られた信号のサンプリングを実施する。これにより、図５に示した発光パターンのパルス波形の周波数を判別することで、視認位置の検出を実施する。
【００３４】
なお、本実施例においては、例えば図２に示す状態で、表示パネル４３を垂直にユーザが視認しようとする場合、先述した各々の信号発信部から発信される信号の領域から外れてしまい、映像の視認が困難である。このため、本体３１に設けられた図示しない操作スイッチがユーザに操作されることで、ＣＰＵ５０は、表示パネル４３に表示される映像を、立体映像用の表示映像から２Ｄ映像用の表示映像に切り替えるものとする。 これにより、複数のユーザが複数の方向から立体視像を視認することはできないが、該状態においても表示映像の視認は可能になる。
【００３５】
以下に図７を用いて眼鏡９０の動作フローを詳細に説明する。なお、図７の動作フローは、眼鏡用ＣＰＵ７５によって処理される。
【００３６】
図示しない眼鏡９０の電源が投入される（Ｓ２０１）と、眼鏡用ＣＰＵ７５は、信号受信部９５から得られた信号の周波数判別を実行する（Ｓ２０２）。周波数判別（Ｓ２０２）の結果が、周期２Ｔであった場合、視認位置は図６の二点鎖線で示した領域ＪまたはＫであると判別する。次に、眼鏡姿勢検出部７４の出力に基づいて姿勢判別（Ｓ２０３）を実行する。姿勢判別（Ｓ２０３）によって、眼鏡９０の姿勢が重力方向が眼鏡９０を通常装着した状態と一致する「正」姿勢であると判別した場合は、得られたパルス波形をシャッター制御用の同期信号としてシャッター制御を実行する（Ｓ２０７）。
【００３７】
より具体的には、眼鏡用ＣＰＵ７５は、信号受信部９５から得られた信号がＨｉのときは、右目用透過部９２Ｒを透過状態に、左眼用透過部９２Ｌを非透過状態となるようにシャッター制御を行う。一方、該信号がＬｏｗのときは、右目用透過部９２Ｒを非透過状態に、左眼用透過部９２Ｌを透過状態となるようにシャッター制御を行う。
【００３８】
また、眼鏡用ＣＰＵ７５が、姿勢判別（Ｓ２０３）によって、眼鏡９０の姿勢が重力方向に対して逆向きとなる「逆」姿勢であると判別した場合は、同期信号生成１を実行する（Ｓ２０４）。これにより、得られたパルス波形に対し逆位相となる同期信号を生成する。そして、生成された同期信号に基づいて、シャッター制御を実行する（Ｓ２０７）。
【００３９】
また、眼鏡用ＣＰＵ７５が、姿勢判別（Ｓ２０３）によって、眼鏡９０の姿勢が上述した２種類の姿勢とは異なる姿勢であると判別した場合は、上述したパルス波形を同期信号とし、かつ、２Ｄ用シャッターモードをＯＮとする（Ｓ２０６）。詳細は後述するが、２Ｄ用シャッターモードがＯＮ（Ｓ２０６）の場合は、眼鏡用ＣＰＵ７５は、同期信号に応じて、右目用透過部９２Ｒと左眼用透過部９２Ｌを、交互に切り替えるのではなく、同じタイミングで透過・非透過状態となるようにシャッター制御を実行する（Ｓ２０７）。
【００４０】
これは、例えば眼鏡９０を装着したユーザが顔を横に傾けた状態などを示している。ユーザが横たわって画面を目視する場合など、右眼と左眼の高さがずれた場合は、立体映像の視認が困難になる。本実施例では、かかる姿勢でも２Ｄ映像の視認が可能となるため、ユーザが映像情報を好適に視認することができる。
【００４１】
また、周波数判別（Ｓ２０２）の結果が、周期Ｔであった場合、眼鏡用ＣＰＵ７５は、視認位置を図６の二点鎖線で示した領域Ｌであると判別し、同期信号生成２を実行する（Ｓ２０５）。具体的には得られた周期Ｔのパルス波形と同期した２倍の周期の同期信号を生成する。次に、先述した２Ｄ用シャッターモードをＯＮ（Ｓ２０６）とし、先述した同期信号に基づいて、シャッター制御を実行する（Ｓ２０７）。これにより、ユーザは、立体視認が困難な表示方向と直交する方向からの視認に対しても、２Ｄ映像の視認が可能となる。
【００４２】
次に、本実施例における立体映像の視認方法について詳述する。図８は、図６の二点鎖線で示した領域Ｊ、Ｋ、Ｌ各々に、ユーザが正しい姿勢で位置している場合（領域Ｊ、Ｋに関してはＳ２０３の判別結果が「正」の場合）における、ユーザの左右の眼に到達する映像情報の表示タイミングを示す図である。図８において、「表示部の映像」欄に記載された内容は表示部３３の表示パネル４３に表示される映像を示しており、「６１−１」は第１の映像情報６１の１コマ目を、「６１−２」は２コマ目といった映像情報の時間変化を示している。なお、第２の映像情報６２に関しても同様の関係である。また、領域Ｊ、Ｋ、Ｌの「右眼」「左眼」欄に記載された内容は、各領域におけるユーザの左右各々の眼に伝達される映像情報を示しており、「×」は非透過状態を示している。
【００４３】
つまり、領域Ｊにユーザが位置している場合では、まず右眼に第１の映像情報６１の１コマ目が伝達され、次に左眼に第２の映像情報６２の１コマ目が伝達され、その後右眼に第１の映像情報６１の２コマ目が伝達される。かかる構成により、領域Ｊにいるユーザは好適に立体映像の視認が可能となる。
【００４４】
領域Ｋのユーザには、まず左眼に第１の映像情報６１の１コマ目が伝達され、次に右眼に第２の映像情報６２の１コマ目が伝達され、その後、左眼に第１の映像情報６１の２コマ目が伝達される。かかる構成により、領域Ｊとは表示部３３に対して反対側に位置する領域Ｋにいるユーザは、好適に立体映像の視認が可能となる。
【００４５】
領域Ｌのユーザには、２Ｄ用シャッターモードがＯＮになっているため、まず右眼、左眼の双方に第１の映像情報６１の１コマ目が伝達され、次に右眼、左眼の双方に第１の映像情報６１の２コマ目が伝達される。これにより、第１の映像情報６１のみが視認されるため、２Ｄ映像として好適に視認される。なお、例えば領域Ｌにおいては、第１の映像情報６１ではなく、第２の映像情報６２のみが視認されるように構成することも可能である。
【００４６】
以上から、本実施例では、表示部３３に表示する映像は、従来のシャッター方式に対応した立体映像視認用の視差を有した映像情報でありながら、複数のユーザが表示部の複数方向から立体映像及び２Ｄ映像の視認が可能となる。
【００４７】
なお、先述した姿勢判別（Ｓ２０３）の判別結果が「逆」の場合に、領域Ｊとなるパルス波形を受信した場合には、図８に示すＫ欄の表示タイミングとなる。これは、ユーザが逆向きに表示部３３を視認しているためである。
【００４８】
また、図３の８１は表示パネル４３に表示している映像を表示面内において、９０°左回りに回転させる操作ボタンである。
【００４９】
本実施例においては、操作ボタン８１が押されると、ＣＰＵ５０は、第１の信号発信部７６と、第２の信号発信部７７から発信する信号を、双方とも図５（ｃ）に示す信号に切り替える。また、第３の信号発信部７８から発信する信号を、図５（ａ）に示す信号に切り替える。
【００５０】
一方、眼鏡９０の眼鏡用ＣＰＵ７５は、図７に示す動作フローをそのまま実行する。これにより、領域Ｊ、Ｋに位置したユーザには、図８のＬ欄に示すタイミングで映像が右眼、左眼に伝達される。このため、該ユーザは２Ｄ映像を視認することができる。また、領域Ｌに位置したユーザには図８のＪ欄に示すタイミングで映像が右眼、左眼に伝達される。これにより、該ユーザは立体映像を視認することができる。
【００５１】
以上から、表示パネル４３に表示される映像の向きに応じて、複数のユーザが複数の方向から好適に立体映像や２Ｄ映像を視認することができる。
【００５２】
＜第２の実施形態＞
以下に、本発明の立体映像表示システムの第２の実施例を示す。なお、基本的な構成は第１の実施形態と同一のため説明は省略する。
【００５３】
本実施例においては、本体３１には、図２（ｂ）に示した矢印Ｂ方向への表示部３３の回転を検知する回転検知部８０が位置変更部３９の近傍に配置されており、表示部３３が図３に示す上側を向いた場合にＯＮとなる。なお、表示部３３の回転を検知する方法は公知の技術のため説明は省略する。
【００５４】
本実施例の本発明にかかる部分のみを示したブロック図を図９に、本体３１のＣＰＵ５０が実行する動作フローを図１０に示す。
【００５５】
本実施例においては、図１０に示したように、電源が投入される（Ｓ３０１）と、ＣＰＵ５０は、モード判別（Ｓ３０２）を実行する。モード判別（Ｓ３０２）の結果が、「再生モード」であった場合、回転検知部８０からの入力に基づいて、回転検知の判定（Ｓ３０３）を実行する。回転検知の判定（Ｓ３０３）がＯＮであった場合、第１、第２、第３の信号発信部７６、７７、７８から第１の実施形態で示した位置検出用信号を各々発信する（Ｓ３０４）。そして表示部３３の表示パネル４３に、第１の映像情報と、第２の映像情報を時分割で交互に表示する表示制御１を実行する（Ｓ３０５）。その後、再生動作の制御を実行（Ｓ３０６）する。
【００５６】
一方、回転検知（Ｓ３０３）の判定結果がＯＦＦであった場合、ＣＰＵ５０は位置検出信号の発信を停止し（Ｓ３０７）、表示パネル４３は第１の映像情報のみを表示する表示制御２を実行する（Ｓ３０８）。その後、再生動作の制御を実行（Ｓ３０６）する。
【００５７】
また、モード判別（Ｓ３０２）の判別結果が「記録モード」であった場合、位置検出信号を停止し（Ｓ３０９）、表示パネル４３に、第１の映像情報のみを表示する表示制御２を実行する（Ｓ３１０）。その後、記録動作の制御を実行（Ｓ３１１）する。
【００５８】
図１１は、本実施例における眼鏡９０の眼鏡用ＣＰＵ７５の実行する動作フローである。
【００５９】
本実施例においては、基本的な動作フローは図７に示す第１の実施形態と同様であり、同一の番号を用いて説明は省略する。
【００６０】
本実施例では眼鏡９０の電源が投入される（Ｓ２０１）と、眼鏡用ＣＰＵ７５は、信号受信部９５からの入力有無を判別する受信判別（Ｓ３５１）を実行する。受信判別（Ｓ３５１）によって位置検出信号の入力を判別した場合には、「入力あり」と判断して周波数判別（Ｓ２０２）を実行する。周波数判別（Ｓ２０２）以降の動作フローは第１の実施形態と同一のため説明は省略する。一方、受信判別（Ｓ３５１）によって位置検出信号の入力を判別しなかった場合には、「入力なし」と判断し、眼鏡用ＣＰＵ７５は、右眼用透過部９２Ｒと、左眼用透過部９２Ｌの双方を透過状態のままで維持するシャッター制御２を実行する（Ｓ３５２）。
【００６１】
以上詳述した様に、本実施例においては、図２で示した表示部３３の状態では立体映像用の表示を実行しない。これにより、記録モードにおいては、眼鏡９０を装着しなくても撮影映像の視認が可能となり、眼鏡９０の消費電力の低減や、撮影者自身を撮影する場合に、眼鏡９０が撮影されることを防止することができる。
【００６２】
また、再生モードにおいても、２Ｄ映像、立体映像の切り替えを、表示部３３の回転という容易な操作で実行できるため、操作性の向上が実現される。
【００６３】
また、例えば液晶シャッターへの通電がＯＦＦの場合には、右眼用透過部９２Ｒと、左眼用透過部９２Ｌの双方が透過状態となるように、眼鏡９０を構成することで、液晶シャッターの駆動に要する消費電力の低減が実現される。
【００６４】
＜第３の実施形態＞
以下に、本発明の立体映像表示システムの第３の実施例を示す。なお、基本的な構成は第１の実施形態と同一のため説明は省略する。
【００６５】
図１２は装置本体であるカムコーダの表示部３３が上面側を向いた状態を示す斜視図である。本実施例においては、同期信号発信部９６が表示部３３の外側に配置されている。表示パネル４３に映像を表示する際には、同期信号発信部９６からは後述する眼鏡９０のシャッター駆動用となる同期信号が、表示パネル４３の表側、及び、矢印Ｇ、Ｈ、Ｆの全方向に発信されている。
【００６６】
なお、発信される同期信号は、第１、第２の信号発信部７６、７７から発信される信号と異なる周波数の信号であり、かつ、図５（ａ）に示したパルス波形と同一の発光パターンで発光する。つまり、表示パネル４３に表示された映像が第１の映像情報６１の場合にＨｉに、第２の映像情報６２の場合にＬｏｗとなる。また、該状態で表示パネル４３に表示される映像は、第１の実施形態と同様に、領域Ｊから正姿勢で視認した際に、第１の映像情報６１がユーザの右眼に、第２の映像情報６２が左眼に伝達されることで、立体映像の視認が可能に構成されている。
【００６７】
図１３は本実施例の眼鏡９０を示す図、図１４は本実施例のブロック図である。本実施例では眼鏡９０には、同期信号発信部９６から発信された同期信号を受信する同期信号受信部９７が配置されている。
【００６８】
より詳細に図１５を用いて眼鏡用ＣＰＵ７５にて実行される動作フローを説明する。図示しない眼鏡用電源が投入される（Ｓ４０１）と、眼鏡用ＣＰＵ７５は、後述する視認位置判定を実行する（Ｓ４０２）。なお、先述したとおり、同期信号と、第１、第２の信号発信部７６、７７から発信される信号は異なる周波数の信号であり、各々の信号受信部は、各々の信号の周波数に対応した感度特性を有している。
【００６９】
このため、信号受信部９５と、同期信号受信部９７の双方に両方の信号が入力しても、受信部の周波数に対する感度差を利用することで、該信号同士の分離が可能である。
【００７０】
以下に、本実施例の視認位置判定方法について詳述する。本実施例においては、眼鏡用ＣＰＵ７５は、信号受信部９５にて受信したパルス波形と、同期信号受信部９７にて受信したパルス波形の位相の比較を行う。位相が一致した場合、領域Ｊにユーザが位置していると判定し、受信した同期信号に基づいてシャッター制御を実行（Ｓ４０５）する。これにより、図８のＪ欄に記載された状態と同様のタイミングで表示部の映像がユーザの右眼、及び、左眼に伝達されるため、ユーザは好適に立体映像の視認が可能となる。
【００７１】
また、位相が逆転していると判別した場合、領域Ｋにユーザが位置していると判定し、受信した同期信号の位相を逆転させる（Ｓ４０３）。そして、該同期信号に基づいてシャッター制御を実行（Ｓ４０５）する。これにより、図８のＫ欄に記載された状態と同様のタイミングで表示部の映像がユーザの右眼、及び、左眼に伝達されるため、領域Ｊと対向する領域Ｋにおいても、ユーザは好適に立体映像の視認が可能となる。
【００７２】
また、信号受信部９５からの信号が入力されなかった場合、眼鏡用ＣＰＵ７５は、視認位置判定（Ｓ４０２）の判定結果を「その他」と判定する。これにより、眼鏡用ＣＰＵ７５は、例えば領域Ｌといった領域Ｊ、Ｋ以外にユーザが位置していると判定し、２Ｄ用シャッターモードをＯＮ（Ｓ４０４）とする。
【００７３】
２Ｄ用シャッターモードがＯＮ（Ｓ４０４）となると、第１の実施形態と同様に、眼鏡用ＣＰＵ７５は、同期信号に応じて、右目用透過部９２Ｒと左眼用透過部９２Ｌを、同じタイミングで透過・非透過状態となるように制御する。そして、上記制御に即してシャッター制御を実行する（Ｓ４０５）。これにより、図８のＬ欄に記載された状態と同様のタイミングで表示部の映像がユーザの右眼、及び、左眼に伝達されるため、立体映像の視認が困難な位置においても、ユーザは２Ｄ映像として表示パネル４３に表示された映像の視認が可能となる。
【００７４】
なお、本発明の効果は上記実施形態にのみ限定されるものではない。例えば、装置本体としてカムコーダを例示したが、例えば携帯電話やデジタルカメラといった装置を用いることも可能である。
【００７５】
また、例えば第１の実施形態において眼鏡９０の姿勢検知を削除することも可能である。これによって、実施例中に詳述したユーザの姿勢変化による立体映像の視認への対応は困難になるが、本発明の効果である複数のユーザが画像表示部の複数方向から立体映像及び２Ｄ映像の視認は実現可能である。また、信号発信部から発信する信号の位相や周期ではなく、レベルを検知し、該レベルによって視認位置を検出することも可能である。また、赤外線以外の信号を用いることも可能である。
【００７６】
また、撮影した動画だけではなく、例えば静止画の映像や、アニメーション、映像情報に重ねられた文字データや、編集によって加えたコメントなどに適用することも可能である。また、例えば近年増加しているタッチパネルを配した表示パネルを有した携帯用情報端末などにおいても本発明の効果を得ることは可能である。
【００７７】
（他の実施形態）
上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行することでも本発明は実現可能である。この場合、そのプログラム、及び該プログラムを記憶した記憶媒体は本発明を構成することになる。
【符号の説明】
【００７８】
３１  本体、３２  レンズ部、３２Ｒ  第１のレンズ、３２Ｌ  第２のレンズ、
３３  表示部、３４  電源、３５  トリガーボタン、３６  Ｌカバー、３７  Ｒカバー、
３８  モードダイヤル、３９  位置変更部、４３  表示パネル、５０  ＣＰＵ、
５２  撮像素子、７４  眼鏡姿勢検出部、７５  眼鏡用ＣＰＵ、
７６  第１の信号発信部、７７  第２の信号発信部、７８  第３の信号発信部、
８０  回転検知部、８１  操作ボタン、９０  眼鏡、９１  フレーム部、
９２Ｒ  右眼用透過部、９２Ｌ  左眼用透過部、９５  信号受信部、
９６  同期信号発信部、９７  同期信号受信部
【図１】
2016019257.tif 000003
【図２】
2016019257.tif 000004
【図３】
2016019257.tif 000005
【図４】
2016019257.tif 000006
【図５】
2016019257.tif 000007
【図６】
2016019257.tif 000008
【図７】
2016019257.tif 000009
【図８】
2016019257.tif 000010
【図９】
2016019257.tif 000011
【図１０】
2016019257.tif 000012
【図１１】
2016019257.tif 000013
【図１２】
2016019257.tif 000014
【図１３】
2016019257.tif 000015
【図１４】
2016019257.tif 000016
【図１５】
2016019257.tif 000017